(57)【要約】【課題】本発明の課題は、使用者、特に出産により骨盤の広がった女性に対してその骨盤を引き締めて矯正することができる骨盤矯正ベルトを提供することにある。【解決手段】        使用者の骨盤周りにおける一方の体側部分を押さえつけるための第１ベルトと、前記他方の体側部分を押さえつけるための第２ベルトと、前記第１ベルトと、前記第２ベルトとを伸縮可能に連結し、使用者の背部に接する背部ベルトと、を具備し、前記第１ベルトと前記第２ベルトと、を使用者の骨盤周りにおける一方の体側部分と他方の体側部分にそれぞれあてがい、骨盤の周りに固定するときに前記背部ベルトが伸張し、その第１ベルトと前記第２ベルトと、がその使用者の骨盤を引き締める骨盤矯正ベルトである。【選択図】  図１
2018114119.tif 000002
【特許請求の範囲】
【請求項１】
使用者の骨盤周りにおける一方の体側部分を押さえつけるための第１ベルトと、
前記他方の体側部分を押さえつけるための第２ベルトと、
前記第１ベルトと、前記第２ベルトとを伸縮可能に連結し、使用者の背部に接する背部ベルトと、を具備し、
前記第１ベルトと前記第２ベルトと、を使用者の骨盤周りにおける一方の体側部分と他方の体側部分にそれぞれあてがい、骨盤の周りに固定するときに前記背部ベルトが伸張し、その第１ベルトと前記第２ベルトと、がその使用者の骨盤を引き締める骨盤矯正ベルト。
【請求項２】
前記第１ベルトは非伸縮性を有し、前記第２ベルトは非伸縮性を有する請求項１記載の使用者の骨盤を引き締める骨盤矯正ベルト。
【請求項３】
前記第１ベルトに骨盤を引き締めるための第１帯部を有し、
前記第２ベルトに骨盤を引き締めるための第２帯部を有し、前記第１帯部と、前記第２帯部とを連結することで使用者の骨盤周りをさらに引き締めることができる請求項１または２記載の骨盤矯正ベルト。
【請求項４】
前記第１ベルトを２分する第１縦枠を配置し、前記第１縦枠に前記第１帯部を有し、
前記第２ベルトを２分する第２縦枠を配置し、前記第２縦枠に前記第２帯部を有し、
前記第１縦枠に前記第１帯部を有し、
前記第１帯部と前記第２帯部とを連結することでさらに使用者の骨盤回りを引き締める請求項３記載の骨盤矯正ベルト。
【発明の詳細な説明】
【技術分野】
【０００１】
本発明は、腰に巻きつけるベルトであり、特に骨盤を引き締めて矯正する骨盤矯正ベルトに関するものである。
【背景技術】
【０００２】
使用者の腰を引き締め、固定することによって、その腰への負担を軽減する腰ベルトが知られている。このようなものとして、特開２００７−１０５３０８号公報において、略帯状に形成され略中央部に所定長手方向大きさの背当て部を備えた第１ベルト部と、略帯状に形成されてそれぞれ前記第１ベルト部の正面側に配設された一対の第２ベルト部とを備えた腰痛防止用ベルトであって、前記第１ベルト部は、前記背当て部の両端部側には所定の長手方向大きさに形成され長手方向に向けて伸縮可能な弾性部をそれぞれ設けると共に前記弾性部の側部側には一定の長手方向大きさに形成された片部をそれぞれ設け、該片部の正面側略全域に第１係止部をそれぞれ設けると共に前記片部の少なくとも一方の背面側に前記第１係止部に係止される第２係止部を設け、前記第２ベルト部は、基部が前記背当て部の長手方向両端部近傍にそれぞれ固着されると共に先端部を前記片部側にそれぞれ伸延させた状態に配設され、前記先端部の背面側には前記第１係止部に係止される第３係止部をそれぞれ設けたことを特徴とする腰痛防止ベルトが開示されている。
【０００３】
上記発明の効果として、第１ベルト部の正面側に配設された一対の第２ベルト部を備えたことにより、第１ベルト部を装着者の腰部に装着したのち第２ベルト部を引張ることで更に締め付けることができ、腕力の乏しい者であっても簡易かつ確実に腰部に装着でき、腰痛を防止するとされている。
【０００４】
しかしながら、実際には、このベルトは骨盤を引き締めるというよりも、腰全体を引き締めるというもので、骨盤が広がった使用者に対して、その骨盤を引き締めて骨盤を矯正する効果は疑問である。
【先行技術文献】
【特許文献】
【０００５】
【特許文献１】特開２００７−１０５３０８号公報
【発明の開示】
【発明が解決しようとする課題】
【０００６】
本発明は前記の点に着目してなされたもので、その課題は、使用者、特に出産により骨盤の広がった女性に対してその骨盤を引き締めて矯正することを課題とする。
【０００７】
第１観点における骨盤矯正ベルトは、使用者の骨盤周りにおける一方の体側部分を押さえつけるための第１ベルトと、他方の体側部分を押さえつけるための第２ベルトと、その第１ベルトと、その第２ベルトとを伸縮可能に連結し、使用者の背部に接する背部ベルトと、を具備し、第１ベルトと第２ベルトと、を使用者の骨盤周りにおける一方の体側部分と他方の体側部分にそれぞれあてがい、骨盤の周りに固定するときに背部ベルトが伸張し、その第１ベルトと前記第２ベルトと、がその使用者の骨盤を引き締めて矯正するというものである。
【０００８】
第２観点における骨盤矯正ベルトは、第１観点において、第１ベルトは非伸縮性を有し、第２ベルトは非伸縮性を有するというものである。
【０００９】
第３観点における骨盤矯正ベルトは、第１観点から第２観点において、第１ベルトに骨盤を引き締めるための第１帯部を有し、第２ベルトに骨盤を引き締めるための第２帯部を有し、前記第１帯部と、前記第２帯部とを連結することで使用者の骨盤周りをさらに引き締めることができるというものである。
【００１０】
第４観点における骨盤矯正ベルトは、第１観点から第３観点において、第１ベルトを２分する第１縦枠を配置し、第１縦枠に前記第１帯部を有し、第２ベルトを２分する第２縦枠を配置し、第２縦枠に前記第２帯部を有し、第１帯部と前記第２帯部とを連結することでさらに使用者の骨盤周りを引き締めるというものである。
【発明の効果】
【００１１】
本発明によれば、使用者、特に出産により骨盤の広がった女性に対してその骨盤を引き締めて、骨盤を矯正する骨盤矯正ベルトを提供することができる。
【図面の簡単な説明】
【００１２】
【図１】Ａは第１実施例における骨盤矯正ベルトの正面図。Ｂは第１実施例における骨盤矯正ベルトの背面図。
【図２】Ａは第１実施例における骨盤矯正ベルトの底面図。Ｂは第１実施例における骨盤矯正ベルトの側面図。
【図３】Ａは第１実施例における骨盤矯正ベルトの斜視図。Ｂは第１実施例における骨盤矯正ベルトの背面から見た斜視図。
【図４】Ａは第１実施例における骨盤矯正ベルトの装着を開始した状態の正面図。Ｂは、第１実施例における骨盤矯正ベルトの装着を開始した状態の背面図。
【図５】Ａは第１実施例における骨盤矯正ベルトを装着した状態の正面図。Ｂは、第１実施例における骨盤矯正ベルトを装着した状態の背面図。
【図６】Ａは第２実施例における骨盤矯正ベルトの正面図。Ｂは第２実施例における骨盤矯正ベルトの背面図。
【図７】Ａは第２実施例における骨盤矯正ベルトの装着を開始した状態の正面図。Ｂは、第２実施例における骨盤矯正ベルトの装着を開始した状態の背面図。
【図８】Ａは第２実施例における骨盤矯正ベルトの装着した状態の正面図。Ｂは、第２実施例における骨盤矯正ベルトの装着した状態の背面図。
【発明を実施するための形態】
【００１３】
第１実施例における骨盤矯正ベルト１０は、上下に対称であり（図１参照）、第１ベルト２０と、第２ベルト３０と、背部ベルト４０とを有する。
【００１４】
第１ベルト２０は、後述する第１縁部２１を除き全体が非伸縮性を有するメッシュ生地で作成され、使用者Ｐの骨盤Ｋ周りのうち一方の体側部分Ｌにあてがい、その体側部分Ｌを押さえつけて保護するものである。第１ベルト２０は、第１縁部２１と第１本体部２２とを有し、その第１本体部２２の周囲を縁取るように、第１縁部２１が配置されている。また、第１ベルト２０における第１本体部２２を左右に２分する位置において、上下の第１縁部２１と連結するように第１縦枠２３を配置している。また、第１本体部２２は、その表面全体に雌型面ファスナーが配置され、その第１ベルト２０は、ダブルラッセル織りしたものが好ましい。また、使用者Ｐに接するために、通気性のある素材が好ましい。なお左右とは、骨盤矯正ベルト１０の長手方向を言うものである。
【００１５】
第２ベルト３０は、後述する第２縁部３１を除き全体が非伸縮性を有するメッシュ生地で作成され、使用者Ｐの骨盤Ｋの周りのうち他方の体側部分Ｒにあてがい、その体側部分Ｒを押さえつけて保護するものである。第２ベルト３０は、第２縁部３１と第２本体部３２とを有し、その第２本体部３２の周囲を縁取るように、第２縁部３１が配置されている。また、第２ベルト３０における第２本体部３２の左右に２分する位置において、上下の第２縁部３１と連結するように第２縦枠３３を配置している。また、第２本体部３２は、その表面全体に雌型面ファスナーが配置され、その第２ベルト３０は、ダブルラッセル織りしたものが好ましい。また、使用者Ｐの骨盤Ｋ周りに接するために、通気性のある素材が好ましい。また、第２ベルト３０の裏面の端部において雄型面ファスナー３５が配置されている。
【００１６】
第１ベルト２０と、第２ベルト３０とは、非伸縮性を有する。非伸縮性を有するという意義は、全く伸縮性を有しないということでなく、使用者Ｐの骨盤Ｋの周りの体側部分Ｌと他の体側部分Ｒを押さえる際に、第１ベルト２０と、第２ベルト３０とが多少伸びても、その骨盤Ｋ周りの体側部分Ｌと他の体側部分Ｒを押さえる力を逃がさない程度に、伸縮性を有する場合を含む概念である。従って少なくとも、後述する背部ベルト４０よりも、第１ベルト２０と、第２ベルト３０とは伸縮性が少ないものを言う。
【００１７】
また、背部ベルト４０は上記のとおり伸縮性を有するものであり、伸縮性を有するポリウレタンを使用することが好ましい。またはそのポリウレタンと、ナイロンまたは、ポリエステルを混合したものであってもよい。背部ベルト４０は、骨盤Ｋ回りを押さえるというより、上述の第１ベルト２０と第２ベルト３０のそれぞれの端部を伸縮可能に連結するものであり、使用者の骨盤Ｋ周りに巻きつけたときに、伸張することで、上述の第１ベルト２０と、第２ベルト３０を使用者Ｐの骨盤Ｋの周りのうち、それぞれ体側部分Ｌと他の体側部分Ｒに配置される。従って、背部ベルト４０を使用者Ｐの背中部分に配置しつつ、その背部ベルト４０の収縮力により、第１ベルト２０と、第２ベルト３０によって骨盤Ｋの周りのうち、それぞれ体側部分Ｌと他の体側部分Ｒを押さえることができる。なお、背部ベルト４０は、背縁部４１と背部本体４２とを有し、それぞれ伸縮性を有するものである。また、第１実施例における骨盤矯正ベルト１０における第１縁部２１と第２縁部３１と背縁部４１とは一体である。従って、それらは伸縮性を有するものであるが、第１本体部２２と第２本体部３２そのものが非伸縮性を有するために、第１ベルト２０と第２ベルト３０とにおいても非伸縮性を有するものである。
【００１８】
また、第１ベルト２０は、第１帯部５０を有する。この第１帯部５０についても非伸縮性を有するものであり、この非伸縮性の意義は上述のとおり背部ベルト４０よりも伸縮性を有しないことを言うものである。またこの第１帯部５０の表面全体は、後述する先端部を除いて雌型面ファスナー５１が配置されると共に、その先端部に雄型面ファスナー５２を有している。
【００１９】
第１帯部５０は、第１ベルト２０における第１縦枠２３に接続されており、第１縦枠２３から外方に向かって配置されている。また、第２ベルト３０は、第２帯部６０を有する。この第２帯部６０は、伸縮性を有するものであり、第２本体帯部６１と環状部６２とを有し、第２本体帯部６１の先端に環状部６２が配置されている。
【００２０】
上記構成の第１実施例における骨盤矯正ベルト１０を使用者Ｐの骨盤Ｋの周りに取り付ける。この場合、第２ベルト３０の裏面端部に配置されている雄型面ファスナー３５を、使用者Ｐの腰まわりのサイズに応じて第１ベルト２０における第１本体部２２のいずれかの位置に取り付ける。上記のとおり第１本体部２２の全面に雌型面ファスナーが配置されているので、使用者Ｐの骨盤Ｋの周りに骨盤矯正ベルト１０を取り付けることができる。その際に背部ベルト４０が伸張し、第１ベルト２０が使用者Ｐの体側部分Ｌに配置され、第２ベルト３０が使用者Ｐの体側部分Ｒに配置され、さらにその伸長した背部ベルト４０Ｔの収縮力により、第１ベルト２０が使用者Ｐの骨盤Ｋ周りにおける体側部分Ｌを押さえつけることができる。また、第２ベルト３０が使用者Ｐの骨盤Ｋ回りにおける他の体側部分Ｒを押さえつけることができる。
【００２１】
ここで、第１ベルト２０が使用者Ｐの骨盤Ｋまわりにおける体側部分Ｌの一方を押さえつけることができ、第２ベルト３０が使用者Ｐの骨盤Ｋまわりにおける他方の体側部分Ｒを押さえつけることができるとしたが、上記のとおり、骨盤矯正ベルト１０は上下に対称であり、使用者Ｐの利き手に対応して、第１ベルト２０を使用者Ｐの骨盤Ｋにおける他方の体側部分Ｒに配置され、第２ベルト３０を使用者Ｐの骨盤Ｋにおける体側部分Ｌに配置することを許容することはいうまでもない。
【００２２】
第１実施例における骨盤矯正ベルト１０を使用者Ｐの骨盤Ｋの周りに取り付けた後に、第１帯部５０の先端部分を、この第２帯部６０における環状部６２に挿入して通す。すなわち、第１帯部５０の先端部分を、この第２帯部６０における環状部６２に挿通するように配置する。この後に第１帯部５０をおり曲げ、その先端に配置された雄型面ファスナー５２を雌型面ファスナー５１に固定する。このようにして、第１帯部５０と第２帯部６０との締め付け力とその伸張した背部ベルト４０Ｔの収縮力により、第１ベルト２０が使用者Ｐの骨盤Ｋ周りにおける体側部分Ｌを押さえつけることができ、また、第２ベルト３０が使用者Ｐの骨盤Ｋ周りの他方の体側部分Ｒを押さえつけることができる。よって、使用者Ｐの骨盤Ｋを引き締めて矯正することができる。特に出産により骨盤の広がった女性に対して効果的である。また、使用者の腰痛を改善することが期待できる。
【００２３】
第２実施例における骨盤矯正ベルト１００は、上下に対称であり（図６参照）、第１ベルト２００と、第２ベルト３００と、背部ベルト４００とを有する。
【００２４】
第１ベルト２００は、全体が非伸縮性を有するメッシュ生地で作成され、使用者Ｐの骨盤Ｋにおける一方の体側部分Ｌにあてがい、その体側部分Ｌを押さえつけて保護するものである。第１ベルト２００は、第１縁部２１０と第１本体部２２０とを有し、その第１本体部２２０の周囲を縁取るように、第１縁部２１０が配置されている。また、第１ベルト２００における第１本体部２２０を左右に２分する位置、好ましくは２等分する位置すなわち左右中央において、上下の第１縁部２１０と連結するように第１縦枠２３０を配置している。また、第１本体部２２０は、その表面全体に雌型面ファスナーが配置されている。また、第１ベルト２００は、ダブルラッセル織りしたものが好ましい。また、使用者Ｐに骨盤Ｋ周りに接するために、通気性のある素材が好ましい。
【００２５】
第２ベルト３００は、全体が非伸縮性を有するメッシュ生地で作成され、使用者Ｐの骨盤Ｋ周りのうち他方の体側部分Ｒにあてがい、その体側部分Ｒを押さえつけて保護するものである。第２ベルト３００は、第２縁部３１０と第２本体部３２０とを有し、その第２本体部３２０の周囲を縁取るように、第２縁部３１０が配置されている。また、第２ベルト３００における第２本体部３２０を左右に２分する位置、好ましくは２等分する位置すなわち左右中央において、上下の第２縁部３１０と連結するように第２縦枠３３０を配置している。また、第２本体部３２０は、その表面全体に雌型面ファスナーが配置され、ダブルラッセル織りしたものが好ましい。また、使用者Ｐの骨盤Ｋに接するために、通気性のある素材が好ましい。また第２ベルト３００の裏面の端部において雄型面ファスナー３５０が配置されている。
【００２６】
第１ベルト２００と、第２ベルト３００とは、非伸縮性を有する。非伸縮性を有するという意義は、全く伸縮性を有しないということでなく、使用者Ｐの骨盤Ｋ周りの体側部分Ｌと他の体側部分Ｒとを押さえる際に、第１ベルト２００と、第２ベルト３００とが多少伸びても、その骨盤Ｋを押さえる力を逃がさない程度に、伸縮性を有する場合を含む概念である。従って少なくとも、後述する背部ベルト４００よりも、第１ベルト２００と、第２ベルト３００とは伸縮性が少ないものを言う。
【００２７】
また、背部ベルト４００は上記のとおり伸縮性を有するものであり、伸縮性を有するポリウレタンを使用することが好ましい。またはそのポリウレタンと、ナイロンまたは、ポリエステルを混合したものであってもよい。背部ベルト４００は、使用者Ｐの骨盤Ｋを押さえるというより、上述の第１ベルト２００と第２ベルト３００のそれぞれを伸縮可能に連結するものであり、使用者Ｐの骨盤Ｋ周りに巻きつけたときに、伸張し、上述の第１ベルト２００と、第２ベルト３００をその使用者の骨盤Ｋ周りのうち、それぞれ体側部分Ｌと他の体側部分Ｒに配置される。従って、背部ベルト４００を使用者の背中部分に配置しつつ、その背部ベルト４００の収縮力により、第１ベルト２００と、第２ベルト３００によって骨盤Ｋ周りにおける体側部分Ｌと他の体側部分Ｒを押さえることができる。
【００２８】
また、第１ベルト２００は、第１帯部５００を有する。この第１帯部５００は、伸縮性を有する伸縮帯部５１０と非伸縮帯部５２０を有し、さらに第１環状部５３０を有するものである。また、非伸縮帯部５２０は、非伸縮性を有し、この非伸縮性の意義は上述のとおり、背部ベルト４００よりも伸縮性を有しないことを言うものである。またこの非伸縮帯部５２０の表面全体は、後述する先端部を除いて雌型面ファスナー５１１が配置されると共に、その先端部に雄型面ファスナー５２１を有している。
【００２９】
第１帯部５００は、第１ベルト２００における第１縦枠２３０に接続されており、第１縦枠２３０と伸縮帯部５１０が接続されており、さらに、その伸縮帯部５１０が第１環状部５３０に接続され、さらにその第１環状部５３０と非伸縮帯部５２０が接続されて、それらが外方に向かって配置されている。
【００３０】
また、第２ベルト３００は、第２帯部６００を有する。この第２帯部６００は、伸縮性を有するものであり、第２本体帯部６１０と第２環状部６２０とを有し、第２本体帯部６１０の先端にその第２環状部６２０が配置されている。
【００３１】
上記構成の第２実施例における骨盤矯正ベルト１００を使用者Ｐの骨盤Ｋ周りに取り付ける。この場合、第２ベルト３００の裏面端部に配置されている雄型面ファスナー３５０を、第１ベルト２００における第１本体部２２０のいずれかの位置に取り付ける。上記のとおり第１本体部２２０の全面に雌型面ファスナーが配置されているので、使用者Ｐの骨盤Ｋ周りに骨盤矯正ベルト１００を取り付けることができる。その際に背部ベルト４００が伸張し、第１ベルト２００が使用者Ｐの骨盤Ｋの体側部分Ｌに配置され、第２ベルト３００が使用者Ｐの骨盤Ｋにおける他方の体側部分Ｒに配置され、さらにその背部ベルト４００Ｔの収縮力により、第１ベルト２００が使用者Ｐの骨盤Ｋ周りの体側部分Ｌを押さえつけることができる。また、第２ベルト３００が使用者Ｐ骨盤Ｋ周りの他の体側部分Ｒを押さえつけることができる。
【００３２】
ここで、第１ベルト２００が使用者Ｐの骨盤Ｋにおける一方の体側部分Ｌを押さえつけることができ、第２ベルト３００が使用者Ｐの骨盤Ｋにおける他方の体側部分Ｒを押さえつけることができるとしたが、上記のとおり、骨盤矯正ベルト１００は上下に対称であり、使用者Ｐの利き手に対応して、第１ベルト２００を使用者Ｐの骨盤Ｋ周りの他方の体側部分Ｒに配置し、第２ベルト３００を使用者Ｐの骨盤Ｋ周りの体側部分Ｌに配置することが許容されることはいうまでもない。
【００３３】
この第２実施例における骨盤矯正ベルト１００を使用者Ｐの骨盤Ｋ周りに取り付けた後に、第２帯部６００の先端部分すなわち非伸縮帯部６２０をこの第１帯部５００における第１環状部５２０に挿入して通す。すなわち、第１帯部５００の先端部分すなわち非伸縮帯部５２０を、この第２帯部６０における環状部６２に挿通するように配置する。この後に非伸縮帯部５２０をおり曲げ、それに配置された雄型面ファスナー５２１を雌型面ファスナー５１１に固定する。このようにして、第１帯部５００と第２帯部６００との締め付け力とその伸張した背部ベルト４００Ｔの収縮力により、第１ベルト２００が使用者Ｐの骨盤Ｋ周りにおける体側部分Ｌを押さえつけることができ、また、第２ベルト３００が使用者Ｐの骨盤Ｋ周りにおける他方の体側部分Ｒを押さえつけることができる。よって、使用者Ｐの骨盤Ｋを引き締めて矯正することができる。特に出産により骨盤の広がった女性に対して効果的である。また、使用者の腰痛を改善することが期待できる。
【符号の説明】
【００３４】
１０、１００、骨盤矯正ベルト
２０、２００、第１ベルト
２１、２１０、第１縁部
２２、２２０、第１本体部
２３、２３０、第１縦枠
３０、３００、第２ベルト
３１、３１０、第２縁部
３２、３２０、第２本体部
３３、３３０、第２縦枠
４０、４００、背部ベルト
５０、５００、第１帯部
６０、６００、第２帯部
【図１】
2018114119.tif 000003
【図２】
2018114119.tif 000004
【図３】
2018114119.tif 000005
【図４】
2018114119.tif 000006
【図５】
2018114119.tif 000007
【図６】
2018114119.tif 000008
【図７】
2018114119.tif 000009
【図８】
2018114119.tif 000010